(57)【特許請求の範囲】
【請求項１】
表示装置の動作を制御するための制御情報の入力を受け付ける入力部と、
前記入力部に入力される制御情報を画像データに付加する付加部と、
前記制御情報が付加された画像データを保存する記録部と、
を備え、
前記制御情報は、表示装置が画像データを表示する際に行うフレームレート変換処理を制御するための情報を含むことを特徴とする画像処理装置。
【請求項２】
前記表示装置が実行可能な処理に関する情報である処理能力情報を前記表示装置から受信する受信部をさらに備え、
前記入力部は、前記受信部が受信した処理能力情報に基づいて、前記表示装置が実行可能な処理の制御情報の入力を受け付ける請求項１に記載の画像処理装置。 
【請求項３】
前記フレームレート変換処理を制御するための情報は、
画像データの連続する２枚のフレーム画像からその間に挿入する補間フレームを生成してフレーム数を増やす方法によりフレームレート変換処理を行うか、又は、画像データのフレーム画像を複製してフレーム数を増やす方法によりフレームレート変換処理を行うか、を制御する情報を含むことを特徴とする請求項１又は２に記載の画像処理装置。
【請求項４】
前記画像データはＲＡＷ画像データを含み、
前記制御情報は、表示装置が前記ＲＡＷ画像データを現像する際の現像パラメータと、表示装置が前記ＲＡＷ画像データを現像して生成される画像データを表示する際に行う表示画質に関連する処理を制御するための、前記現像パラメータに関連付けられた情報と、を含む請求項１から３のいずれか１項に記載の画像処理装置。
【請求項５】
前記画像データは動画像データを含み、
前記制御情報は、前記動画像データの全編の表示に共通に適用する表示画質に関連する処理の制御情報と、前記動画像データのフレーム又はシーンごとに適用する表示画質に関連する処理の制御情報と、を含む請求項１から４のいずれか１項に記載の画像処理装置。
【請求項６】
表示装置の動作を制御するための制御情報の入力を受け付けるステップと、
入力される制御情報を画像データに付加するステップと、
前記制御情報が付加された画像データを記録部に保存するステップと、
を有し、
前記制御情報は、表示装置が画像データを表示する際に行うフレームレート変換処理を制御するための情報を含むことを特徴とする画像処理装置の制御方法。
【請求項７】
前記表示装置が実行可能な処理に関する情報である処理能力情報を前記表示装置から受信するステップをさらに有し、
前記入力を受け付けるステップでは、前記受信するステップで受信した処理能力情報に基づいて、前記表示装置が実行可能な処理の制御情報の入力を受け付ける請求項６に記載の画像処理装置の制御方法。
【請求項８】
前記フレームレート変換処理を制御するための情報は、
画像データの連続する２枚のフレーム画像からその間に挿入する補間フレームを生成してフレーム数を増やす方法によりフレームレート変換処理を行うか、又は、画像データのフレーム画像を複製してフレーム数を増やす方法によりフレームレート変換処理を行うか、を制御する情報を含むことを特徴とする請求項６又は７に記載の画像処理装置の制御方法。
【請求項９】
前記画像データはＲＡＷ画像データを含み、
前記制御情報は、表示装置が前記ＲＡＷ画像データを現像する際の現像パラメータと、表示装置が前記ＲＡＷ画像データを現像して生成される画像データを表示する際に行う表示画質に関連する処理を制御するための、前記現像パラメータに関連付けられた情報と、を含む請求項６から８のいずれか１項に記載の画像処理装置の制御方法。
【請求項１０】
前記画像データは動画像データを含み、
前記制御情報は、前記動画像データの全編の表示に共通に適用する表示画質に関連する処理の制御情報と、前記動画像データのフレーム又はシーンごとに適用する表示画質に関連する処理の制御情報と、を含む請求項６から９のいずれか１項に記載の画像処理装置の制御方法。
【発明の詳細な説明】
【技術分野】
【０００１】
本発明は、画像処理装置、画像処理システム及び画像処理装置の制御方法に関する。
【背景技術】
【０００２】
従来、表示装置に備わる画質関連処理のプリセットとして、表示されている映像の特性に応じて画質調整パラメータを適応的に変化させるダイナミックモードがある。また、表示装置にＲＡＷ形式の画像データを入力し、ユーザがＲＡＷ形式の静止画像データに対して画質補正などの編集処理を行うことができるものがある。特許文献１には、表示装置においてＲＡＷ形式の静止画像データの編集処理が行われる場合には、ダイナミックモードによる画質関連処理を停止させる表示制御装置が提案されている。
【０００３】
また、特許文献２には、文字放送番組に付加した表示制御データに基づき、自動的に表示画面の制御が行える競技場向け情報表示画面制御システムが開示されている。特許文献３には、回線を混雑させることなく、規定の時刻に確実にＰＯＰ表示を変更することができる商品情報表示装置が開示されている。
【先行技術文献】
【特許文献】
【０００４】
【特許文献１】特開２００９−３００５４１号公報
【特許文献２】特開２０００−０５０２５０号公報
【特許文献３】特開２００８−１１９２３３号公報
【発明の概要】
【発明が解決しようとする課題】
【０００５】
表示装置に備わる画質関連処理のプリセットとしては、上述したダイナミックモードの他にも、画作りをしない忠実再現モード、映画に適したシネマモードなどがある。視聴者はこのようなプリセットの画質モードのいずれかを選択したり、或いは画質関連処理を詳細に設定したりすることによって、好みの画質で映像を見ることができる。
【０００６】
一方、映像コンテンツの作成者は、作成者の意図により近い画質で視聴者に映像コンテンツを視聴してもらうために、映像コンテンツを表示する際に表示装置において選択される画質モードや画質関連処理を指定したい場合がある。
【０００７】
特許文献１〜３に記載の技術では、映像コンテンツの作成者の意図に応じて表示装置の画質関連処理を制御することはできない。そのため、映像コンテンツの作成者の意図した画質で視聴者が映像コンテンツを視聴することができない可能性があった。
【０００８】
本発明は、映像コンテンツの作成者の意図に近い画質で視聴者が映像コンテンツを視聴することができる画像処理装置、表示装置及びそれらの制御方法を提供することを目的とする。
【課題を解決するための手段】
【０００９】
本発明は、表示装置の動作を制御するための制御情報の入力を受け付ける入力部と、
前記入力部に入力される制御情報を画像データに付加する付加部と、
前記制御情報が付加された画像データを保存する記録部と、
を備え、
前記制御情報は、表示装置が画像データを表示する際に行うフレームレート変換処理を制御するための情報を含むことを特徴とする画像処理装置である。
【００１０】
本発明は、表示装置の動作を制御するための制御情報の入力を受け付けるステップと、
入力される制御情報を画像データに付加するステップと、
前記制御情報が付加された画像データを記録部に保存するステップと、
を有し、
前記制御情報は、表示装置が画像データを表示する際に行うフレームレート変換処理を制御するための情報を含むことを特徴とする画像処理装置の制御方法である。
【発明の効果】
【００１１】
映像コンテンツの作成者の意図に近い画質で視聴者が映像コンテンツを視聴することができる画像処理装置、表示装置及びそれらの制御方法を提供することができる。
【図面の簡単な説明】
【００１２】
【図１】実施例１に係る画像処理装置の概略構成を示すブロック図
【図２】現像パラメータと表示装置制御データを示す図
【図３】ＲＡＷ画像データと表示装置制御データの一例
【図４】実施例２に係る表示装置の概略構成を示すブロック図
【図５】表示装置制御データ解析部について説明するフローチャート
【図６】表示装置制御データ解析部の画質パラメータ決定処理のフローチャート
【発明を実施するための形態】
【００１３】
（実施例１）
本発明の実施例１を図１から図３に基づいて説明する。実施例１に係る画像処理装置では、コンテンツ作成者が、コンテンツの画像データに、表示装置の動作を制御するための制御情報を付加して保存（記録）する。制御情報は、表示装置が画像データを表示する際に行う表示画質に関連する処理（画質関連処理）を制御するための制御情報である。
【００１４】
図１は、実施例１に係る画像処理装置の概略構成を示すブロック図である。
図１の画像処理装置１００は、本発明に係る画像処理システムの構成要素となる。現像パラメータ生成部１０１、記録部１０３、現像処理部１０４、表示部１０５、通信部１０６から構成されている。これらの構成要素はバスで接続されている。現像パラメータ生成部１０１には表示装置制御データ付加部１０２が含まれる。画像処理装置１００には操作部１０７が無線や有線で接続されている。
【００１５】
画像処理装置１００は、ＲＡＷ形式の画像データを現像して再生するとともに、現像パラメータをＲＡＷ画像データに関連付けて（付加して）光ディスクやメモリカードなどのストレージデバイスに記録する装置である。画像処理装置１００は、例えば、ＰＣ（Ｐｅｒｓｏｎａｌ  Ｃｏｍｐｕｔｅｒ）、ＤＶＤ（Ｄｉｇｉｔａｌ  Ｖｅｒｓａｔｉｌｅ  Ｄｉｓｃ）レコーダ、ＨＤＤ（Ｈａｒｄ  Ｄｉｓｋ  Ｄｒｉｖｅ）レコーダ、デジタルビデオカメラ等である。現像パラメータが関連付けられて記録されているＲＡＷ画像データを、ＲＡＷ画像データを現像する機能を有する表示装置に入力すると、関連付けられた現像パラメータに従ってＲＡＷ画像データが現像され、表示装置に表示（再生）される。
【００１６】
ＲＡＷ画像データはＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサで得られた情報を保持した形式の画像データである。現像とは、ＲＡＷ画像データからＪＰＥＧ形式、ＭＰＥＧ形式、ＴＩＦＦ形式などの画像データを作成するための処理である。現像では、例えば、色深度、ホワイトバランス、彩度、コントラスト、色相、シャープネス、色空間、フレームレートなどに関する画質調整処理を行う。現像パラメータとは、現像において行うこれら画質調整処理の設定値であり、ＲＡＷ画像データとは別に、或いはＲＡＷ画像データに付加して、保存される。現像パラメータは、コンテンツ作成者が画像をどのような画質で視聴者に視聴してもらうことを意図しているか、
を表している。動画像コンテンツの作成者は、動画像全編にわたって共通の現像パラメータでＲＡＷ画像データを現像することもできるし、フレームやシーンごとに現像パラメータを変えてＲＡＷ画像データを現像することもできる。
【００１７】
記録部１０３は、ＨＤＤなどの固定記憶装置や、光ディスク又はメモリカードなどのリムーバルストレージメディアに対し読み取り可能な装置である。記録部１０３には、デジタルビデオカメラ等の撮像装置から直接ＲＡＷ画像データを取り込み、又は、ＲＡＷ画像データが記録されたリムーバルメディアを介して、ＲＡＷ画像データが保存される。記録部１０３にＲＡＷ画像データが保存されると、画像処理装置１００は、そのＲＡＷ画像データに対して現像処理を行うことが可能な状態になる。記録部１０３には、ＲＡＷ画像データに関連付けられて、現像パラメータのデータも保存される。
【００１８】
現像パラメータ生成部１０１は、記録部１０３に保存されているＲＡＷ画像データに対して、現像処理部１０４で現像を行うための現像パラメータを生成する。現像パラメータの例を図２のａに示す。現像パラメータ生成部１０１は、ユーザが操作部１０７（入力部）を用いて画像処理装置１００に入力する現像指示に従って、現像パラメータを生成する。
【００１９】
表示装置制御データ付加部１０２（付加部）は、現像パラメータに表示装置制御データを付加する。表示装置制御データは、表示装置の画質関連処理を制御するための制御情報が格納されるデータである。ここで表示装置とは、図１には図示していないが、ＲＡＷ画像データの現像及び現像した画像データの表示を行うことができるデジタルテレビなどの装置である。表示装置は、コンテンツ作成者が画像処理装置１００によって生成したＲＡＷ画像データを、視聴者が再生（表示）させるための装置である。表示装置は、ＲＡＷ画像データの現像及び表示をする際に、表示画質の調整をすることができる機能を有する。表示装置が備える画質関連処理には、例えば、画像データの特性に応じて適応的に色や輝度などを調整するダイナミック処理、映像コンテンツのジャンルに応じて適切な画質に調整する画質モード、フレームレート変換、コントラスト調整などがある。表示装置ごとに、実行可能な画質関連処理は異なる。画像処理装置１００は、表示装置が実行可能（又は実行不可能）な画質関連処理の情報である処理能力情報を、通信部１０６（受信部）を介して取得することができる。通信部１０６は、画像処理装置１００と表示装置との間で通信を行う。画像処理装置１００は、通信部１０６を介して取得した処理能力情報に基づいて、表示装置が実行可能な画質関連処理を、ユーザ（コンテンツ作成者）に提示する。ユーザは、提示される画質関連処理に応じて、表示装置が実行不可能な画質関連処理の制御情報を含まないように表示装置制御データを決定することができる。
【００２０】
動画像コンテンツの作成者は、動画像データの全体（全編）の表示に共通に適用する画質関連処理の制御情報を入力することもできるし、動画像データの部分ごと（フレームやシーンごと）に表示画質を変化させるような制御情報を入力することもできる。例えば、コンテンツが映画の場合、作成者は、映画全編を、画質モードをシネマモードに設定して表示させるように画質関連処理の制御情報を入力することもできる。また、コンテンツ作成者は、ある特定のシーンだけダイナミック処理を実行して表示させるように画質関連処理の制御情報を入力することもできる。
【００２１】
表示装置制御データ付加部１０２は、コンテンツ作成者の操作により入力された画質関連処理の制御情報を格納した表示装置制御データをＲＡＷ画像データに付加し、又はＲＡＷ画像データに関連付けて保存する。表示装置制御データの例を図２のｂに示す。表示装置制御データ付加部１０２は、現像前、現像後又は現像時のタイミングで、図２のように、現像パラメータの一部として表示装置制御データをＲＡＷ画像データに付加することができる。或いは、表示装置制御データ付加部１０２は、現像パラメータとは別に表示装置
制御データを保存し、現像パラメータ及びＲＡＷ画像データと関連付けるようにしてもよい。以下では、図２に示すように表示装置制御データを現像パラメータの一部としてＲＡＷ画像データに付加する実施形態で説明をする。
【００２２】
現像処理部１０４は、現像パラメータ生成部１０１で生成された現像パラメータ（図２のａ）に従ってＲＡＷ画像データを現像し、ＭＰＥＧ形式の動画データに変換する。
表示部１０５は、現像処理部１０４で現像された動画像データを映像として確認するための装置である。なお、上述したように、表示装置制御データは、不図示の表示装置の画質関連処理を制御するためのものであり、表示部１０５は、表示装置制御データに従った表示画質の変化を確認するためのものではない。
【００２３】
操作部１０７は、ユーザが画像処理装置１００へ指示を入力するための操作を行うことができるリモコンなどの装置である。ユーザは、表示部１０５に表示される現像後のＲＡＷ画像データを見ながら、操作部１０７を操作して、シーンやフレームごと、又は動画像コンテンツ全体の現像パラメータの調整、表示装置制御データの決定を行うことができる。
【００２４】
図３は、表示装置制御データ付加部１０２がＲＡＷ画像データに付加する表示装置制御データとＲＡＷ画像データの関係を時間軸ｔに沿って示した図である。
図３に例示するＲＡＷ画像データは、垂直周波数を６０Ｈｚ又は１２０Ｈｚに切り替えて撮影され、シーンＡ、シーンＢ及びシーンＣについて既に現像パラメータが決定されているとする。ここでは、表示装置制御データに基づいて制御可能な表示装置の画質関連処理は、以下の５種類とする。すなわち、（１）ダイナミック処理ＯＮ／ＯＦＦ制御、（２）画質モード制御、（３）ＦＲＣ方法制御、（４）コントラスト比制御、（５）環境センサＯＮ／ＯＦＦ制御である。
【００２５】
（１）ダイナミック処理とは、入力された画像データの特徴量に応じて変化する適応的な画像処理である。ダイナミック処理ＯＮ／ＯＦＦ制御では、このダイナミック処理を行うか否かを切り替える。
（２）画質モード制御では、全体的にコントラストを上げるダイナミックモード、画作りをしない忠実再現モード、標準的な画作りを行うスタンダードモードの３つのうちいずれかの画質モードを選択する。
（３）ＦＲＣ方法とは、垂直周波数を６０Ｈｚから１２０Ｈｚに変換するフレームレート変換（ＦＲＣ：Ｆｒａｍｅ  Ｒａｔｅ  Ｃｏｎｖｅｒｓｉｏｎ）の方法である。ＦＲＣ方法制御では、２つの方法のうちいずれかのＦＲＣ方法を選択する。一つは６０Ｈｚの動画像データの連続する２枚のフレーム画像からその間に挿入する補間フレームの画像を生成し、１２０Ｈｚの動画像データに変換する方法である。もう一つは補間を行わずに単純な複写によってフレーム数を増やす方法である（ＯＦＦと表記）。
（４）コントラスト比制御では、黒レベルと白レベルの比を調整する。
（５）環境センサとは、視聴環境の明るさを検出する照度センサや表示装置の近傍に人がいるか否かを検出する人感センサである。環境センサＯＮ／ＯＦＦ制御では、環境センサによる検出結果を画像処理に反映するか否かを切り替える。
【００２６】
以下、シーン毎にＲＡＷ画像データに表示装置制御データを付加する処理について説明をする。
シーンＡについて、コンテンツ作成者は、表示装置に標準的な画作り処理を行って表示させることを意図しているとする。従って、コンテンツ作成者は、以下のような表示装置制御データをシーンＡのＲＡＷ画像データに関連付けて付加する。
（１）ダイナミック処理ＯＮ／ＯＦＦ制御：ＯＮ
（２）画質モード：スタンダードモード
（３）ＦＲＣ方法：補間
（４）コントラスト比：ｄｅｆａｕｌｔ
（５）環境センサＯＮ／ＯＦＦ制御：ｄｅｆａｕｌｔ
ここで、ｄｅｆａｕｌとは、表示装置制御データに特に設定がなされていない場合に表示装置が実行する既定の処理のことを示す。
【００２７】
シーンＢは１２０Ｈｚの動画像データであり、コンテンツ作成者は、表示装置に画作り処理をさせずに表示させることを意図しているとする。従って、コンテンツ作成者は、以下のような表示装置制御データをシーンＢおＲＡＷ画像データに関連付けて付加する。
（１）ダイナミック処理ＯＮ／ＯＦＦ制御：ＯＦＦ
（２）画質モード：忠実再現モード
（３）ＦＲＣ方法：１２０Ｈｚの動画をそのまま表示するためＯＦＦ
（４）コントラスト比：５０００：１
（５）環境センサＯＮ／ＯＦＦ制御：シーンの見え方が変化するのを防ぐためＯＦＦ
図２に例示した現像パラメータ（ａ）及びその一部として付加される表示装置制御データ（ｂ）は、シーンＢのＲＡＷ画像データに関連付けられる現像パラメータ及び表示装置制御データである。
【００２８】
シーンＣについては、コンテンツ作成者は、表示装置にコントラストを上げて表示させ、それ以外はシーンＡと同様に表示させることを意図しているとする。従って、コンテンツ作成者は、以下のような表示装置制御データをシーンＣのＲＡＷ画像データに関連付けて付加する。
（１）ダイナミック処理ＯＮ／ＯＦＦ制御：ＯＮ
（２）画質モード：ダイナミックモード
（３）ＦＲＣ方法：補間
（４）コントラスト比：ｄｅｆａｕｌｔ
（５）環境センサＯＮ／ＯＦＦ制御：ｄｅｆａｕｌｔ
【００２９】
以上のように動画像コンテンツのシーンごとに、表示装置制御データが決定され、ＲＡＷ画像データに現像パラメータとともに付加される。ここで、決定された表示装置制御データは、現像パラメータの一部として、記録部１０３にＲＡＷ画像データと関連付けて保存される。
【００３０】
以上のように、コンテンツ作成者がＲＡＷ画像データに表示装置制御データと現像パラメータとを関連付けて保存することにより、視聴者が当該ＲＡＷ画像データを現像して表示装置に表示させる際に、コンテンツ作成者が意図した画質で表示させることができる。従って、コンテンツ作成者は、意図した映像に近い映像を視聴者に提供できるようになる。
【００３１】
本実施例では、ＲＡＷ画像データの現像パラメータの一部として表示装置制御データを付加する例を説明した。しかし、ＲＡＷ画像データから現像によって生成されたＭＰＥＧ形式やＪＰＥＧ形式の画像データに、表示装置制御データを関連付けて保存するようにしてもよい。また、本実施例の画像処理装置は、動画像及び静止画像のＲＡＷ画像データに適用することができる。
なお、画質関連処理は上記のものに限らず、例えば、輝度調整制御、ガンマ調整制御、フィルタ制御、色温度調整制御、コントラスト調整制御、ローカルディミング制御などを含むことができる。
【００３２】
（実施例２）
本発明の実施例２を図２及び図４から図６に基づいて説明する。
図４は、実施例２に係る表示装置の概略構成を示すブロック図である。
図４の表示装置４００は、本発明に係る画像処理システムの構成要素となる。表示装置４００は、現像処理部４０１、表示装置制御データ解析部４０２、画像処理部４０３、表示部４０４、通信部４０５から構成されている。表示部４０４はここでは液晶パネルとする。また、これらの構成要素はバスで接続されているとする。表示装置４００には操作部４０６が無線や有線で接続されている。
【００３３】
表示装置４００は、ＲＡＷ画像データ及びそれに関連付けられて保存されている現像パラメータが入力されると、現像パラメータに基づき現像処理を行い、現像済み画像データ（ＲＧＢデータ）を生成する。本実施例では、表示装置制御データは、図２に示すように現像パラメータの一部として保存されているものとする。表示装置４００は、現像パラメータの一部として入力される表示装置制御データに基づき、現像済み画像データに対して画像処理部４０３が行う画質関連処理のパラメータを設定する。表示装置４００は、その設定に基づき画像処理された現像済み動画像データを表示する。表示装置４００は垂直周波数１２０Ｈｚで動画像データの表示を行う表示部４０４を備えている。
【００３４】
現像処理部４０１は、ＲＡＷ画像データ及び表示装置制御データの入力を受け付ける（画像入力部）。現像処理部４０１は、入力されるＲＡＷ画像データに対して、ＲＡＷ画像データに付随する現像パラメータ（図２のａ）に従って現像を行い、動画像データ（ＲＧＢデータ）に変換する。現像処理部４０１は、現像パラメータの一部として保存されている表示装置制御データ（図２のｂ）を、表示装置制御データ解析部４０２へ送信する。
【００３５】
表示装置制御データ解析部４０２は、現像処理部４０１から受信した表示装置制御データを解析し、画像処理部４０３において実行する画像処理（画質関連処理）のパラメータを決定する。表示装置制御データ解析部４０２は、決定した画質関連処理のパラメータを、動画像データ（ＲＧＢデータ）に関連付けて、画像処理部４０３及び表示部４０４へ送信する。
【００３６】
以下、表示装置制御データ解析部４０２が実行する処理の内容を図５及び図６のフローチャートを用いて説明する。
図５のフローチャートは表示装置制御データ解析部４０２が実行する基本的な処理内容を示すフローチャートである。
【００３７】
ステップＳ５０１において、表示装置制御データ解析部４０２は、現像処理部４０１より入力された動画像データに関連付けられた表示装置制御データが存在するか否かを確認する。表示装置制御データが存在する場合は、表示装置制御データ解析部４０２は、ステップＳ５０２へ進む。表示装置制御データが存在しない場合は、表示装置制御データに基づく画質関連処理パラメータの設定は行われず、本フローチャートの処理は終了となる。表示装置制御データが存在しない場合、画像処理部４０３では通常どおりの画質関連処理が行われる。ステップＳ５０１の処理を実行する表示装置制御データ解析部４０２が、本発明の「判定部」として機能している。
【００３８】
ステップＳ５０２では、表示装置制御データ解析部４０２は、動画像データに関連付けられた表示装置制御データがあることをユーザに通知し、表示装置制御データを適用して表示をするか否かをユーザに問い合わせるメッセージを表示部４０４に表示する。
ステップＳ５０３では、ステップＳ５０２の問い合わせメッセージに対して、表示装置制御データを動画像データの表示に適用するか否かの回答をユーザが操作部４０６より入力する。
【００３９】
ステップＳ５０４では、表示装置制御データ解析部４０２は、ステップＳ５０３で入力
されたユーザの指示が「表示装置制御データを動画像データの表示に適用する」であった場合は、ステップＳ５０５へ進む。ステップＳ５０３で入力されたユーザの支持が「表示装置制御データを動画像データの表示に適用しない」であった場合は、表示装置制御データに基づく画質関連処理パラメータの設定は行われず、本フローチャートの処理は終了となる。表示装置制御データを動画像データの表示に適用しない場合、画像処理部４０３では、動画像データに表示装置制御データが関連付けられていない（付加されていない）場合と同様、通常どおりの画質関連処理が行われる。
【００４０】
ステップＳ５０５では、表示装置制御データ解析部４０２は、表示装置制御データを解析し、格納されている画質関連処理の制御情報を取得する。例えば、表示装置制御データ解析部４０２は、表示装置制御データに制御情報が格納されている画質関連処理の種類、個々の画質関連処理の制御パラメータ、制御パラメータの値や範囲を取得する。そして、表示装置制御データ解析部４０２は、表示装置制御データに制御情報が格納されている画質関連処理を、画像処理部４０３が実行可能か判断する。
【００４１】
ステップＳ５０６では、ステップＳ５０５での解析結果より、表示装置制御データに含まれる全ての画質関連処理を画像処理部４０３が実行可能である場合、表示装置制御データ解析部４０２は、ステップＳ５１２へ進む。表示装置制御データの中に画像処理部４０３が実行不可能な画質関連処理の制御情報がある場合は、表示装置制御データ解析部４０２はステップＳ５０７へ進む。画像処理部４０３が実行不可能であるとは、表示装置４００にその画質関連処理を実行するための構成が備わっていない、又は、その画質関連処理を実行するための構成はあるものの、制御情報に規定されたパラメータの値が実行可能範囲外であることを意味する。
【００４２】
ステップＳ５０７では、表示装置制御データ解析部４０２は、表示装置制御データに含まれる画質関連処理を全ては実行することができない旨をユーザに通知し、表示装置制御データに規定された画質関連処理を部分的に実行するか否かをユーザに問い合わせる。ここで、表示装置制御データ解析部４０２は、表示装置制御データに含まれる画質関連処理のうち、画像処理部４０３が実行不可能な処理を表示部４０４に表示し、ユーザに参考情報として提示するようにしてもよい。
ステップＳ５０８では、ステップＳ５０７の問い合わせに対して、ユーザが、表示装置制御データに含まれる画質関連処理を部分的に実行するか又は全部実行しないかの指示を操作部４０６より入力する。
【００４３】
ステップＳ５０９では、表示装置制御データ解析部４０２は、ステップＳ５０８で入力されたユーザ指示に従い、表示装置制御データに含まれる画質関連処理を部分的に実行するか又は全部実行しないかを切り替える。表示装置制御データに含まれる画質関連処理を部分的に実行する場合は、表示装置制御データ解析部４０２は、ステップＳ５１０へ進む。一方、表示装置制御データに含まれる画質関連処理を全部実行しない場合は、表示装置制御データ解析部４０２は、表示装置制御データに基づく画質関連処理パラメータの設定は行われず、本フローチャートの処理は終了となる。表示装置制御データに含まれる画質関連処理を全部実行しない場合、画像処理部４０３では、動画像データに表示装置制御データが関連付けられていない（付加されていない）場合と同様、通常どおりの画質関連処理が行われる。
【００４４】
ここで、表示装置制御データに含まれる画質関連処理を部分的に実行することについて説明をする。例えば、表示装置４００は環境センサが備えられていないとする。そうすると、図２ｂの表示装置制御データに規定された、環境センサＯＮ／ＯＦＦの制御は、表示装置４００では実行できないが、それ以外の制御は表示装置制御データに規定された制御情報に従って実行可能である。表示装置制御データ解析部４０２は、表示装置制御データ
に規定された制御情報のうち、表示装置４００で実行できない画質関連処理の制御情報を、例えばステップＳ５０７において表示部４０４に表示してユーザ（視聴者）に通知する。ユーザは、表示装置４００で実行不可能な画質関連処理を確認し、表示装置４００で実行不可能な画質関連処理以外の画質関連処理を部分的に実行するかどうかを判断することができる。例えば、環境センサＯＮ／ＯＦＦ制御は画質にそれほど影響がないとユーザが判断した場合には、ユーザは環境センサＯＮ／ＯＦＦ以外の、表示装置制御データに規定された画質関連処理を部分的に実行する、という選択をすることができる。
【００４５】
ステップＳ５１０では、表示装置制御データ解析部４０２は、表示装置制御データにその制御情報が格納された画質関連処理のうち表示装置４００において実行する処理を決定する。例えば、表示装置制御データにその制御情報が格納された画質関連処理のうち、環境センサＯＮ／ＯＦＦ制御以外を実行する、といった決定を行う。
【００４６】
ステップＳ５１１では、表示装置制御データ解析部４０２は、ステップＳ５１０で決定した、表示装置制御データに格納された制御情報に基づいて実行する画質関連処理内容を表示部４０４に表示する。このステップＳ５１１において、表示装置制御データ解析部４０２は、ステップＳ５１０で実行すると決定された画質関連処理で問題ないか否かをユーザに確認するようにしてもよい。
【００４７】
ステップＳ５１２では、表示装置制御データ解析部４０２は、表示装置制御データに基づく表示装置４００の制御を実行する。すなわち、表示装置制御データ解析部４０２は、表示装置制御データに基づいて実行すると決定された画質関連処理について、画像処理部４０３や表示部４０４に指示するパラメータを決定する。
ステップＳ５１２における処理内容ついて、画質モード制御のパラメータ決定処理を例として、図６のフローチャートに基づいて説明する。
【００４８】
ステップＳ６０１では、表示装置制御データ解析部４０２は、表示装置制御データに格納された画質モード制御の設定値を参照して、画質モードを決定する。画質モード制御の設定値が忠実再現モードの場合は、表示装置制御データ解析部４０２は、ステップＳ６０２へ進む。画質モード制御の設定値がシネマモードの場合は、表示装置制御データ解析部４０２は、ステップＳ６０３へ進む。画質モード制御の設定値がスタンダードモードの場合は、表示装置制御データ解析部４０２は、ステップＳ６０４へ進む。画質モード制御の設定値がダイナミックモードの場合は、表示装置制御データ解析部４０２は、ステップＳ６０５へ進む。
【００４９】
ステップＳ６０２では、表示装置制御データ解析部４０２は、画像処理部４０３に画作りＯＦＦのパラメータを設定する。これにより、画像処理部４０３は、入力された画像データに対して画作り処理をせずそのまま表示部４０４へ出力する。
ステップＳ６０３では、表示装置制御データ解析部４０２は、シネマモード用のパラメータを設定する。本実施例では、シネマモード用のパラメータ設定とは、色温度を６５００Ｋ（ケルビン）にし、ガンマカーブをスタンダードより忠実再現モードに近づけることと定義されているものとする。よって、表示装置制御データ解析部４０２は、画像処理部４０３に対して色温度を６５００Ｋに設定するためのパラメータ（例えばＲＧＢのゲイン値）を設定し、ガンマカーブを設定して、本フローチャートの処理を終了する。
【００５０】
ステップＳ６０４では、表示装置制御データ解析部４０２は、スタンダードモード用のパラメータを設定する。スタンダードモード用のパラメータ設定は、表示装置４００が持つ標準的な画作り処理のパラメータ設定であり、例えば、表示装置制御データ解析部４０２は、ガンマカーブの中輝度を上げるよう画像処理部４０３に設定する。また、表示装置制御データ解析部４０２は、表示部４０４のバックライトの明るさが明るくなりすぎない
ように表示部４０４に設定する。
【００５１】
ステップＳ６０５では、表示装置制御データ解析部４０２は、ダイナミックモード用のパラメータを設定する。例えば、表示装置制御データ解析部４０２は、ガンマカーブを低輝度から上げるよう画像処理部４０３に設定する。また、表示装置制御データ解析部４０２は、液晶パネルのバックライトを明るくするように表示部４０４に設定する。
【００５２】
これらの処理で、表示装置制御データ解析部４０２は、画像処理部４０３や表示部４０４に対して、表示装置制御データに格納された制御情報に従って画質関連処理のパラメータを設定する。表示装置制御データ解析部４０２は、上述したダイナミック処理のＯＮ／ＯＦＦ制御や画質モード制御の他にも、種々の画質関連処理に関わるパラメータを、上記のフローチャートと同様に決定し、画像処理部４０３や表示部４０４に設定する。画質関連処理には、例えば、輝度調整、ガンマ調整、フィルタ制御、色温度調整、環境センサ有効無効切り替え、フレームレート変換方法、コントラスト調整、ローカルディミング制御などがある。
【００５３】
画像処理部４０３では、現像処理部４０１で現像された動画像データ（ＲＧＢデータ）に対して、表示装置制御データ解析部４０２によって設定された画像処理パラメータに従い、画像処理を行う。
表示部４０４は、表示装置制御データ解析部４０２によって設定された画像処理パラメータに応じて、バックライトの輝度制御などの表示パネル特有の制御を行う。
【００５４】
通信部４０５は、表示装置４００が制御可能な画質関連処理の情報を画像処理装置に送信するための通信手段（送信部）である。画像処理装置が、通信部４０５から、表示装置４００が実行可能な画質関連処理の情報（処理能力情報）を取得することで、画像処理装置は、表示装置４００が実行不可能な画質関連処理の制御情報が表示装置制御データに格納されないようにすることができる。例えば、ユーザ（コンテンツ作成者）が表示装置制御データを入力する際に、表示装置が実行不可能な画質関連処理のパラメータ設定を行えないようにGUIを構成したり、警告を通知したりすることができる。コンテンツ作成者は
、表示装置４００が実行不可能な画質関連処理の制御情報を含まないように表示装置制御データを決定すれば、ステップＳ５０５は常にＹｅｓとなるので、ＲＡＷ画像データの再生時（表示時）における視聴者の操作負担が軽減される。また、コンテンツ作成者は、表示装置４００の限られた画質関連処理能力の範囲内で自らの意図により近い映像表示を得ることができるように表示装置制御データを決定することも可能になる。
【００５５】
操作部４０６は、例えば、リモコン等であり、操作部４０６をユーザが操作することにより表示装置４００へ指示を入力することができる。操作部４０６は、本実施例においては、ステップＳ５０３とステップＳ５０８でユーザによる入力の際に使用される。表示部４０４に表示されるメッセージなどとともに表示装置４００とユーザとの間にインターフェースとなっている。
【００５６】
実施例２の表示装置によれば、表示装置制御データが関連付けられたＲＡＷ画像データが入力されると、表示装置制御データに従って画質関連処理が制御され、コンテンツ作成者の意図に近い画質で視聴者にコンテンツを提供することができる。視聴者は、コンテンツ視聴時に自ら画質関連処理パラメータの設定を行わなくても、コンテンツ作成者が意図に近い画質でコンテンツを視聴することができる。
【００５７】
本実施例では、表示装置制御データは、現像パラメータの一部として、ＲＡＷ画像データに関連付けられて付加されている例について説明したが、現像されたＲＡＷ画像データ（ＭＰＥＧ形式などの動画像データ）に表示装置制御データが関連付けられていてもよい
。そして、ＭＰＥＧ形式の動画像データとそれに関連付けられた又は付加された表示装置制御データの入力を受けて、表示装置制御データに従って画質関連処理を制御しながら動画像データの表示を行う表示装置も、本発明の範囲内に含まれる。また、本実施例においてＲＡＷ画像データは動画像でも静止画像でもよい。静止画像のＲＡＷ画像データに本実施例の表示装置を適用する場合も、ＲＡＷ画像データを現像したＪＰＥＧ形式などの静止画像データと表示装置制御データとが関連付けられて入力されるよう表示装置を構成することができる。
【符号の説明】
【００５８】
１００：画像処理装置、１０２：表示装置制御データ付加部、１０３：記録部、１０７：操作部
【図１】
0005791244.tif 000002
【図２】
0005791244.tif 000003
【図３】
0005791244.tif 000004
【図４】
0005791244.tif 000005
【図５】
0005791244.tif 000006
【図６】
0005791244.tif 000007